(57)【要約】【課題】光ディスクに記録されているデータのセキュリティを向上させた光ディスク記録方法を提供する。【解決手段】光ディスク記録装置１は、本体にセットされている光ディスクＤに対するデータの記録時に、記録されたデータの再生信号品位が予め設定されているパターンで変化するように、レーザパワーを制御しながらデータを記録する。このため、光ディスクＤに記録されているデータの再生信号品位の変化から、該光ディスクが適正なマスタディスクであるか、不正に作られたコピーディスクであるかを判別することができ、光ディスクＤに記録されているデータのセキュリティを向上させることができる。【選択図】図１
2004022132.tif 000002
【特許請求の範囲】
【請求項１】
光ディスクに形成されているトラックにレーザ光を照射して、該光ディスクにデータを記録する光ディスク記録方法において、
上記トラックに記録されたデータの読取条件が予め定められたパターンで変化するように、記録パラメータを制御しながら上記トラックにデータを記録する光ディスク記録方法。
【請求項２】
上記トラックに記録されたデータの再生信号品位が予め定められたパターンで変化するように、記録パラメータを制御しながら上記トラックにデータを記録する請求項１に記載の光ディスク記録方法。
【請求項３】
上記記録パラメータは、レーザパワーである請求項２に記載の光ディスク記録方法。
【請求項４】
上記トラックに記録されたデータの再生線速度が予め定められたパターンで変化するように、記録パラメータを制御しながら上記トラックにデータを記録する請求項１に記載の光ディスク記録方法。
【請求項５】
上記トラックに記録されたデータのデータ密度が予め定められたパターンで変化するように、記録パラメータを制御しながら上記トラックにデータを記録する請求項１に記載の光ディスク記録方法。
【請求項６】
光ディスクに記録されているデータについて読取条件の変化パターンを取得する第１のステップと、
上記第１のステップで取得した読取条件の変化パターンと、上記光ディスクに対して予め定められている読取条件の変化パターンとを比較し、その比較結果に基づいて上記光ディスクの真偽を判別する第２のステップと、を備えた光ディスク判別方法。
【請求項７】
上記第１のステップは、上記光ディスクから実際にデータを読み取り、該読み取ったデータから読取条件の変化パターンを取得する請求項６に記載の光ディスク判別方法。
【請求項８】
上記第２のステップは、記憶部に記憶している上記光ディスクに対して予め定められている読取条件の変化パターンを用いて、上記光ディスクの真偽を判別する請求項６、または７に記載の光ディスク判別方法。
【請求項９】
上記第２のステップは、上記光ディスクに対して予め定められている読取条件の変化パターンを、該光ディスクの所定の記録領域から読み取る請求項６、または７に記載の光ディスク判別方法。
【請求項１０】
上記第２のステップが上記光ディスクを偽造された光ディスクであると判別した場合に、該光ディスクに記録されているデータの読取を制限する請求項６〜８のいずれかに記載の光ディスク判別方法。
【請求項１１】
本体にセットされた光ディスクに形成されているトラックにレーザ光を照射し、該光ディスクにデータを記録する記録手段と、
上記記録手段による上記トラックへのデータの記録時に、該トラックに記録されたデータの読取条件を変化させる記録パラメータを制御する制御手段と、を備えた光ディスク記録装置において、
上記制御手段は、上記読取条件を予め定められたパターンで変化させるための上記記録パラメータの変化パターンを算出し、上記記録手段による上記トラックへのデータの記録時に、ここで算出した変化パターンに基づいて上記記録パラメータを制御する光ディスク記録装置。
【請求項１２】
本体にセットされた光ディスクに形成されているトラックにレーザ光を照射し、該光ディスクに記録されているデータを読み取る読取手段と、
上記読取手段が読み取ったデータについて読取条件の変化パターンを取得し、ここで取得した読取条件の変化パターンと、上記光ディスクについて予め定められている読取条件の変化パターンとを比較し、その比較結果に基づいて上記光ディスクの真偽を判別する制御部と、を備えた光ディスク再生装置。
【発明の詳細な説明】
【０００１】
【発明の属する技術分野】
この発明は、光ディスクにデータを記録する光ディスク記録方法、光ディスクに記録されているデータを判別する光ディスク判別方法、この光ディスク記録方法を適用した光ディスク記録装置、およびこの光ディスク判別方法を適用した光ディスク再生装置に関する。
【０００２】
【従来の技術】
従来、オーディオデータ、コンピュータ用データ、静止画や動画などの画像データなど様々なデータの記録媒体として、ＣＤやＤＶＤ等の光ディスクが利用されている。また、上記光ディスクに記録されているデータを読み取り、再生する光ディスク再生装置や、１度だけデータの書き込みが行える追記型光ディスク（ＣＤ−Ｒ、ＤＶＤ−Ｒなど）、何度も繰り返しデータの書き換えが行える書換型光ディスク（ＣＤ−ＲＷ、ＤＶＤ−ＲＷ、ＤＶＤ＋ＲＷ、ＤＶＤ−ＲＡＭなど）にデータを記録する光ディスク記録装置が普及している。
【０００３】
ところで、著作権で保護されたデータ（オーディオデータ、コンピュータ用データ、静止画や動画などの画像データ）を記録した光ディスクが従来より流通している。これらの光ディスク（マスタディスク）に記録されているデータ（著作権で保護されたデータ）を、上記光ディスク記録装置で別の光ディスクにコピーし、該データをコピーした光ディスク（コピーディスク）を他人に譲渡したり、販売することは違法行為である。
【０００４】
【発明が解決しようとする課題】
しかしながら、上記違法行為の取り締まり、特に友人、知人間におけるコピーディスクの譲渡の取り締まり、が現実的に困難であることから、違法行為であることを知っているにもかかわらず、コピーディスクを友人や知人に譲渡したり、販売する者が絶えず、光ディスクに記録されているデータのセキュリティが低いという問題があった。
【０００５】
この発明の目的は、光ディスクに記録されているデータのセキュリティを向上させた光ディスク記録方法、光ディスク判別方法、光ディスク記録装置、および光ディスク再生装置を提供することにある。
【０００６】
【課題を解決するための手段】
この発明の光ディスク記録方法は、上記の課題を解決するために以下の構成を備えている。
【０００７】
（１）光ディスクに形成されているトラックにレーザ光を照射して、該光ディスクにデータを記録する光ディスク記録方法において、
上記トラックに記録されたデータの読取条件が予め定められたパターンで変化するように、記録パラメータを制御しながら上記トラックにデータを記録する。
【０００８】
この構成では、トラックに記録されたデータの読取条件が予め定められたパターンで変化するように、記録パラメータを制御しながら光ディスクのトラックにデータを記録する。
【０００９】
ここで言う読取条件とは、再生時における光ディスクからの読取信号の状態の変化であって、例えば再生信号品位、再生線速度、データ密度等である。再生信号品位は、例えば記録時に光ディスクに照射するレーザ光のパワー（以下、レーザパワーと言う。）の変化にともなって変化する。このため、データの記録時に光ディスクに照射するレーザパワーにかかる記録パラメータを制御することにより、該光ディスクに記録されたデータの再生信号品位を変化させることができる。
【００１０】
また、再生線速度やデータ密度は、例えば記録時の光ディスクの回転速度や、光ディスクに対するデータの記録速度の変化にともなって変化する。このため、データの記録時に光ディスクの回転速度にかかる記録パラメータ、または光ディスクに対するデータの記録速度にかかる記録パラメータを制御することにより、該光ディスクに記録されたデータの、再生線速度やデータ密度を変化させることができる。
【００１１】
すでに普及している従来の光ディスク記録装置は、読取条件が略一定になるように光ディスクにデータを記録する。このため、従来の光ディスク記録装置では、上記方法により予め定められたパターンで読取条件が変化するようにデータを記録した光ディスク（マスタディスク）から記録されているデータを読み取り、該読み取ったデータを記録（コピー）した別の光ディスク（コピーディスク）を作っても、該コピーディスクに記録されているデータの読取条件は略一定になる。したがって、従来の光ディスク記録装置では、マスタディスクのように記録されているデータの読取条件が予め定められたパターンで変化するコピーディスクを作ることができない。
【００１２】
ここで、マスタディスクがゲーム機等、特定の装置で使用される光ディスクである場合について説明する。記録されているデータの読取条件が予め定められたパターンで変化する光ディスクであるかどうかを判別する機能を該特定の装置に設けると、該特定の装置におけるコピーディスクの使用を制限することができる。これにより、光ディスクに記録されているデータのセキュリティを向上させることができる。
【００１３】
また、上記読取条件が変化するパターンは、時間的に連続して変化するパターン、例えば読取条件をｓｉｎ波やｃｏｓ波の形状で変化させるパターンや、ｎ次関数（ｎは１以上）で変化させるパターン、であってもよいし、ステップ状に変化させるパターンであってもよいし、これらのパターンを組み合わせたパターンであってもよい。読取条件を時間的に連続して変化させるパターンは、記録パラメータを時間的に連続して変化させながら光ディスクにデータを記録すればよい。また、読取条件をステップ状に変化させるパターンは、トラックを分割した記録領域毎に記録パラメータを変化させながら光ディスクにデータを記録すればよい。
【００１４】
（２）上記読取条件の変化パターンを上記光ディスクの所定の領域に記録する。
【００１５】
この構成では、読取条件の変化パターン（以下、単に変化パターンと言う。）が、光ディスクの所定の領域に記録される。
【００１６】
ここで、マスタディスクがゲーム機等、特定の装置で使用される光ディスクである場合、光ディスクに記録されているデータの読取条件が、該光ディスクに記録されているパターンで変化する光ディスクであるかどうかを判別する機能を、該特定の装置に設ければ、該特定の装置におけるコピーディスクの使用を制限することができる。これにより、上記（１）で説明したように、光ディスクに記録されているデータのセキュリティを向上させることができる。
【００１７】
また、光ディスクに該光ディスクに記録されているデータの読取条件が変化するパターンを記録することにより、光ディスク毎に記録されているデータの読取条件の変化パターンを異ならせることもでき、セキュリティの一層の向上が図れる。
【００１８】
また、この発明の光ディスク判別方法は、上記課題を解決するために以下の構成を備えている。この光ディスクの判別方法は、上記ゲーム機等の特定の装置に適用される。
【００１９】
なお、読取条件の変化パターンと相関がある、記録パラメータの変化パターンを光ディスクに記録してもよい。記録パラメータの変化パターンを用いて、読み取り条件の変化パターンを算出することができる。
【００２０】
（１）光ディスクに記録されているデータについて読取条件の変化パターンを取得する第１のステップと、
上記第１のステップで取得した読取条件の変化パターンと、上記光ディスクに対して予め定められている読取条件の変化パターンとを比較し、その比較結果に基づいて上記光ディスクの真偽を判別する第２のステップと、を備えている。
【００２１】
この構成では、第１のステップが光ディスクに記録されているデータの読取条件の変化パターンを取得する。例えば、光ディスクに記録されているデータを実際に読み取り、該読み取ったデータから読取条件の変化パターンを取得する
また、第２のステップが、第１のステップで取得した読取条件の変化パターンと、該光ディスクについて予め設定されている読取条件の変化パターンと、を比較した比較結果に基づいて光ディスクの真偽を判別する。光ディスクについて予め定められている読取条件の変化パターンは、装置本体に記憶させておいてもよいし、また光ディスクに読取条件の変化パターンを記録しておいてもよいし、さらに光ディスクに記録パラメータの変化パターンを記録しておいてもよい。
【００２２】
上記のように、従来の光ディスク記録装置で作られたコピーディスクにおけるデータの読取条件は、略一定であるので、上記第２のステップで、光ディスクの真偽（マスタディスクであるか、コピーディスクであるか）を正確に判別することができる。
【００２３】
（２）上記第２のステップが上記光ディスクを偽造された光ディスクであると判別した場合に、該光ディスクに記録されているデータの読取を制限する。
【００２４】
この構成では、光ディスクをコピーディスクであると判別した場合、該光ディスクに対するデータの読み取りが制限される。
【００２５】
また、読み取りの制限に換えて、光ディスクから読み取ったデータの再生（デコード）禁止、光ディスクから読み取りデコードしたデータの出力禁止等、の制限を行うようにしてもよい。
【００２６】
【発明の実施の形態】
以下、この発明の実施形態である光ディスク記録装置について説明する。
【００２７】
図１は、本発明の実施形態である光ディスク記録装置の構成を示す図である。光ディスク記録装置１は、光ピックアップ１０、スピンドルモータ１１、ＲＦアンプ１２、サーボ回路１３、アドレス検出回路１４、デコーダ１５、システム制御部１６、エンコーダ１７、ストラテジ回路１８、レーザドライバ１９、レーザパワー制御回路２０、周波数発生器２１、エンベロープ検出回路２２、Ｃ１エラー検出回路２３、信号品位検出回路部２４、データ記憶回路２５、記憶部２６、操作部２７、および表示部２８を備えている。
【００２８】
なお、Ｃ１エラー検出回路２３は、デコーダ１５に設けられている。
【００２９】
システム制御部１６は、ＣＰＵ、ＲＯＭ、及びＲＡＭ等から構成されており、ＲＯＭに格納されたプログラムに従って光ディスク記録装置１の各部を制御する。光ピックアップ１０は、光ディスクＤにレーザ光を照射するレーザダイオード、レンズ、ミラーなどの光学系、光ディスクＤからの戻り光（反射光）を検出する受光素子、光ディスクＤに対してレーザ光の焦点を合わせるフォーカスサーボ機構、光ディスクＤに形成されているトラックに対してレーザ光の照射位置を合わせるトラッキングサーボ機構を有している。スピンドルモータ１１は、データを記録する光ディスクＤを回転駆動するモータである。また、スピンドルモータ１１の回転軸先端部には、光ディスクＤを保持するチャッキング機構が設けられている。
【００３０】
また、光ピックアップ１０には、光ディスクＤからの戻り光を検出し、検出した戻り光に応じた信号（以下、モニタ信号と言う。）をレーザパワー制御回路２０に入力するモニタダイオードが設けられている。レーザパワー制御回路２０は、入力されたモニタ信号、およびシステム制御部１６から入力されているレーザパワーの目標値に基づいて、レーザダイオードから照射されるレーザパワーを制御する制御信号をレーザドライバ１９に入力する。
【００３１】
ＲＦアンプ１２は、光ピックアップ１０で検出され、該光ピックアップ１０から入力されたＲＦ信号を増幅し、出力する。ＲＦ信号は、光ディスクＤからの戻り光を受光した受光素子の出力であり、ＥＦＭ（Ｅｉｇｈｔ　ｔｏ　Ｆｏｕｒｔｅｅｎ　Ｍｏｄｕｌａｔｉｏｎ）変調された信号である。ＲＦアンプ１２から出力された信号は、サーボ回路１３、アドレス検出回路１４、エンベロープ検出回路２２、信号品位検出回路部２４、及びデコーダ１５に入力される。
【００３２】
周波数発生器２１は、スピンドルモータ１１が出力した光ディスクの相対位置信号を検出して、光ディスクの回転角度や回転数を検出するための信号をサーボ回路１３に入力する。サーボ回路１３は、スピンドルモータ１１の回転制御、光ピックアップ１０のフォーカス制御、トラッキング制御、及び送り制御を行う。デコーダ１５は、再生時、ＲＦアンプ１２から入力されたＲＦ信号をＥＦＭ復調し、このＥＦＭ復調した信号から生成した再生データをデータ記憶回路２５に入力する。また、記録時は、テスト記録（ＯＰＣ）した領域（テスト領域）を再生する際に、ＲＦアンプ１２から入力されたＲＦ信号をＥＦＭ復調し、ＥＦＭ復調した信号についてＣ１エラー検出回路２３でＣ１エラーを検出し、その検出結果をシステム制御部１６に入力する。Ｃ１エラー検出回路２３は、ＥＦＭ復調された信号に対してＣＩＲＣ（Ｃｒｏｓｓ　Ｉｎｔｅｒｌｅａｖｅｄ　Ｒｅａｄ　Ｓｏｌｏｍｏｎ　Ｃｏｄｅ）と呼ばれる誤り訂正符号を用いたエラー訂正を行い、１サブコードフレーム（９８ＥＦＭフレーム）の中で１回目のエラー訂正ができなかったフレームの個数を、Ｃ１エラーの個数（Ｃ１エラー値）として検出する。
【００３３】
データ記憶回路２５は、デコーダ１５から入力された光ディスクＤの再生データや、他の装置から入力されたデータなどを一時的に記憶するための回路である。光ディスクＤに対してデータを記録するとき、データ記憶回路２５には、該光ディスクＤに記録するデータ（以下、記録データと言う。）が記憶されている。記録データは、順次エンコーダ１７に入力される。一方、光ディスクＤの再生時には、デコーダ１５から入力された再生データが順次再生部（不図示）に送信される。再生部は、例えば送信されてきた再生データに基づく、音声、画像の出力や、プログラム処理を実行する。
【００３４】
アドレス検出回路１４は、ＲＦアンプ１２から入力されたＥＦＭ信号からウォブル信号成分を抽出し、このウォブル信号成分に含まれる各位置の時間情報（アドレス情報）、及び光ディスクＤを識別する識別情報（ディスクＩＤ）やディスクの色素・合金などの光ディスクＤの種類を示す情報を復号し、システム制御部１６に入力する。
【００３５】
信号品位検出回路部２４は、光ディスクＤのテスト領域を再生している時に、ＲＦアンプ１２から入力されたＲＦ信号から再生信号品位に関するパラメータとしてβを算出する。βは、再生信号のアシンメトリと呼ばれることもある。βは、ＥＦＭ変調された信号波形のピークレベルをａ（符号は＋）、ボトムレベルをｂ（符号は−）とすると、
β＝（ａ＋ｂ）／（ａ−ｂ）
により算出される値である。信号品位検出回路２４は、算出したβをシステム制御部１６に入力する。
【００３６】
エンコーダ１７は、データ記憶回路２５から入力された記録データをＥＦＭ変調し、ストラテジ回路１８に入力する。ストラテジ回路１８は、エンコーダ１７から入力されたＥＦＭ変調された信号に対して時間軸補正処理などを行い、処理した信号をレーザドライバ１９に入力する。レーザドライバ１９は、ストラテジ回路１８から入力された信号、およびレーザパワー制御回路２０から入力される制御信号に応じて光ピックアップ１０のレーザダイオードを駆動する。レーザパワー制御回路２０は、光ピックアップ１０のレーザダイオードから照射されるレーザパワーを制御する。具体的には、レーザパワー制御回路２０は、光ピックアップ１０のモニタダイオードから入力されているモニタ信号により光ピックアップ１０のレーザダイオードから照射されているレーザパワーを検出する。また、レーザパワー制御回路２０には、レーザダイオードから照射するレーザパワーの目標値がシステム制御部１６から入力されている。レーザパワー制御回路２０は、レーザダイオードから照射されるレーザパワーがシステム制御部１６から入力されている目標値になる制御信号をレーザドライバ１９に入力する。
【００３７】
エンベロープ検出回路２２は、光ディスクＤに対してテスト記録を行うときに、光ディスクＤのテスト領域１１２ａのどの部分からテスト記録を開始するかを検出するために、光ディスクＤのカウント領域１１２ｂのＥＦＭ信号のエンベロープを検出する。光ディスクＤのテスト領域１１２ａ、およびカウント領域１１２ｂについては後述する。
【００３８】
記憶部２６は、本体の動作制御に用いる各種のパラメータ等を記憶している。操作部２７は、装置本体に対して入力操作を行う複数のキーを有している。表示部２８は、装置本体の動作状態等を表示する。
【００３９】
以上のように構成された光ディスク記録装置１は、パーソナルコンピュータでも実現可能である。具体的には、光ピックアップ１０、スピンドルモータ１１、及び周波数発生器２１は、光ディスクドライブ装置で実現できる。また、ＲＦアンプ１２、サーボ回路１３、アドレス検出回路１４、デコーダ１５、エンコーダ１７、ストラテジ回路１８、レーザドライバ１９、レーザパワー制御回路２０、エンベロープ検出回路２２、Ｃ１エラー検出回路２３、及び信号品位検出回路部２４は、ＭＰＵや周辺回路（光ディスクドライブ装置の周辺回路も含む。）で実現できる。システム制御部１６は、ＭＰＵで実現できる。データ記憶回路２５、及び記憶部２６は、メモリ、ＲＡＭ、及びＲＯＭで実現できる。操作部２７は、キーボードやマウスなどの入力デバイスで実現できる。表示部２８は、モニタで実現できる。
【００４０】
次に、光ディスクＤの領域構成について簡単に説明しておく。図２は、光ディスクの領域構成を示す断面図である。光ディスクＤの外径は１２０ｍｍである。光ディスクＤの中心から４６〜５０ｍｍφの区間がリードイン領域１１４である。リードイン領域１１４の外周側には、データを記録するプログラム領域１１８及び残余領域１２０が設けられている。また、リードイン領域１１４の内周側には、内周側ＰＣＡ１１２が設けられている。内周側ＰＣＡ１１２には、テスト領域１１２ａと、カウント領域１１２ｂと、がある。テスト領域１１２ａは、テスト記録が実施される領域である。テスト領域１１２ａは、複数回、テスト記録が行える大きさである。また、カウント領域１１２ｂは、テスト記録終了時にテスト領域１１２ａのどの部分まで記録が終了しているかを示すＥＦＭ信号を記録する領域である。したがって、光ディスクＤに対してテスト記録を行う際、カウント領域１１２ｂのＥＦＭ信号を読み取ることで、テスト領域１１２ａのどの位置からテスト記録を開始すればよいかが、わかるようになっている。
【００４１】
次に、この実施形態の光ディスク記録装置１におけるデータの記録動作について説明する。この実施形態の光ディスク記録装置１は、再生時に光ディスクＤに記録されているデータの読取条件が予め定められたパターンで変化するように、記録パラメータを制御しながらデータを記録する。ここで言う読取条件とは、再生時における光ディスクＤからの読取信号の状態の変化であって、例えば再生信号品位、再生線速度、データ密度等である。
【００４２】
再生信号品位は、例えば記録時に光ディスクに照射するレーザ光のパワー（以下、レーザパワーと言う。）の変化にともなって変化する。このため、データの記録時に光ディスクに照射するレーザパワーにかかる記録パラメータを制御することにより、該光ディスクに記録されたデータの再生信号品位を変化させることができる。
【００４３】
また、再生線速度やデータ密度は、例えば記録時の光ディスクの回転速度や、光ディスクに対するデータの記録速度の変化にともなって変化する。このため、データの記録時に光ディスクの回転速度にかかる記録パラメータ、または光ディスクに対するデータの記録速度にかかる記録パラメータを制御することにより、該光ディスクに記録されたデータの、再生線速度やデータ密度を変化させることができる。
【００４４】
まず最初に、光ディスクＤに記録したデータの再生信号品位を予め定められたパターンで変化させるデータの記録方法について説明する。図３は、光ディスク記録装置におけるデータ記録処理を示すフローチャートである。光ディスク記録装置１（システム制御部１６）は、本体に光ディスクＤ（データを記録する光ディスクＤ）がセットされているかどうかを判断する（ｓ１）。システム制御部１６は、本体に光ディスクＤがセットされていると判断すると、該光ディスクＤの種類を判別するために、サーボの自動調整を行う（ｓ２）。
【００４５】
ｓ２では、システム制御部１６がサーボ回路１３、レーザパワー制御回路２０にそれぞれ所定の信号を入力する。これらの信号により、光ピックアップ１０のレーザダイオードから光ディスクＤにレーザ光が照射され、その戻り光が光ピックアップ１０の受光素子で受光され、電気信号に変換されてＲＦアンプ１２に入力される。ＲＦアンプ１２で増幅された信号は、アドレス検出回路１４に入力される。アドレス検出回路１４は、入力された信号から、ウォブル信号成分を抽出し、このウォブル信号成分に含まれる各位置の時間情報（アドレス情報）、及び光ディスクＤを識別する識別情報（ディスクＩＤ）やディスクの色素・合金などの光ディスクＤの種類を示す情報を復号し、システム制御部１６に入力する。システム制御部１６は、これらの信号に基づいて光ディスクＤの種類を判別する。
【００４６】
システム制御部１６は、光ディスクＤのトラックに記録するデータについて、再生信号品位を変化させるパターン（以下、再生信号品位パターンと言う。）を記憶部２６から読み出す（ｓ３）。記憶部２６には、予め再生信号品位パターンが記憶されている。この再生信号品位パターンは、ユーザが設定変更できない特定のパターンであってもよいし、操作部２７においてユーザが自由に設定できるパターンであってもよい。ここでは、再生信号品位パターンは、ユーザが設定変更できない特定のパターンであるとして、以下説明する。
【００４７】
再生信号品位パターンは、例えば図４（Ａ）に示すようにステップ状に変化させたパターンであってもよいし、また図４（Ｂ）に示すように時間的に連続して変化させたパターンであってもよいし、さらには図４（Ｃ）に示すように上記２つのパターンを組み合わせたパターンであってもよい。時間的に連続して変化するパターンは、例えばｓｉｎ関数、ｃｏｓ関数、ｎ次関数で表すことができる。また、ステップ状に変化させるパターンは、トラックを分割した領域毎に再生信号品位のレベル（定量的なレベル）を設定して表すことができる。また、図５に示すように光ディスクＤの領域を半径方向に５分割し、分割した各領域（領域Ａ〜Ｅ）に再生信号品位のレベルを設定して表すこともできる。例えば、領域Ａの再生信号品位のレベルａ、領域Ｂの再生信号品位のレベルｂ、領域Ｃの再生信号品位のレベルｃ、領域Ｄの再生信号品位のレベルｄ、領域Ｅの再生信号品位のレベルｅと設定してもよい。また、図５に示す分割した領域の１つ以上について再生信号品位のレベルを定量的な値に設定するのではなく、上記ｓｉｎ関数、ｃｏｓ関数、ｎ次関数で設定すれば、図４（Ｃ）に示す、図４（Ａ）、（Ｂ）を組み合わせた再生信号品位パターンが設定できる。
【００４８】
なお、光ディスクＤの領域の分割数については、図５に示す５分割に制限されることはなく、２分割以上であればよい。また、光ディスクＤの領域の分割については、該光ディスクＤの半径方向に制限されることもない。
【００４９】
システム制御部１６は先に判別した光ディスクＤの種類に対する、複数の記録パラメータの関係を記憶部２６から読み出す（ｓ４）。ｓ４では、記録時のアシンメトリ、ライトストラテジ、ＨＦ変調度、振幅など、複数の記録パラメータについて、その関係を読み出す。これらの記録パラメータは、それぞれ独立したものではなく、いずれかの記録パラメータの値を換えると、それに伴って他の記録パラメータの値も変化する関係にある。記憶部２６には、光ディスクＤの種類毎に実験などで得た複数の記録パラメータの関係が記憶されている。
【００５０】
システム制御部１６は、ｓ４で得た記録パラメータの関係に基づいて、記録パラメータ毎にその値を設定する（ｓ５）。但し、ｓ５ではレーザパワーにかかるパラメータの値については設定しない。
【００５１】
続いて、システム制御部１６は、サーボ回路１３、レーザパワー制御回路２０、エンコーダ１７にそれぞれ所定の信号を入力し、テスト記録（ＯＰＣ）を行う（ｓ６）。テスト記録では、レーザパワーを段階的に変化させて光ディスクＤにデータを記録する。システム制御部１６は、テスト記録が完了すると、該テスト記録でデータを記録したトラックを再生し、レーザパワーと再生信号品位（実際には上記βの）との関係を取得する（ｓ７）。
【００５２】
再生信号品位と上記βとの関係を図６（Ａ）に示す。この図では、縦軸が再生信号品位（上にいくほど再生信号品位が悪い。）であり、横軸がβである。ここでは、β＝０であるとき、再生信号品位が最良であるとして以下説明する。また、上記βと記録時のレーザパワーとの関係を図６（Ｂ）に示す。この図では縦軸がβであり、横軸がレーザパワーである。さらに、図６（Ｃ）にレーザパワーと再生信号品位との関係を示す。この図では、縦軸が再生信号品位であり、横軸がレーザパワーである。
【００５３】
ｓ６では、レーザパワーを、図７（Ａ）に示すように段階的に上げていきながらディスクＤにデータを記録する。図７（Ａ）に示す横軸はデータが記録されたアドレス（時間軸）である。ｓ７では、テスト記録した領域のデータについてβを検出する。システム制御部１６は、テスト記録時におけるレーザパワーと、データの記録領域（アドレス）との関係を記憶している。システム制御部１６は、テスト記録を行った領域を再生し、図７（Ｂ）に示す、レーザパワーとβの関係を取得する。
【００５４】
システム制御部１６は、ｓ７で得た、レーザパワーとβとの関係から、再生信号品位が最良となるレーザパワーを算出する（ｓ８）。ｓ８では、β＝０となるレーザパワーを算出する。次に、システム制御部１６は、光ディスクＤに記録されたデータの再生信号品位が、ｓ３で記憶部２６から読み出した再生信号品位パターンになる、記録時におけるレーザパワーの変化パターンを算出する（ｓ９）。
【００５５】
光ディスクＤに記録されるデータの再生信号品位とレーザパワーとの関係は、図６（Ｃ）に示したように２次曲線で近似される。また、レーザパワーとβとの関係は直線で近似される。このため、レーザパワーを、図６（Ｂ）に示したａの領域で変化させても、ｂの領域で変化させても、ａ、ｂ両方の領域で変化させても、再生信号品位については同じ範囲で変化する。
【００５６】
なお、上記ａの領域とｂの領域における、レーザパワーの変化幅については同じ大きさである。
【００５７】
しかし、システム制御部１６におけるレーザパワーの制御面から見ると、どちらか一方の領域（ａまたはｂの領域）でレーザパワーを変化させるほうが制御が簡単である。また、レーザダイオードの寿命を考慮すれば、出力するレーザパワーを低く抑えたほうがよい。これらの理由から、ここでは図６（Ｂ）に示したａの領域でレーザパワーを変化させる構成とした。
【００５８】
ｓ９で算出されるレーザパワーの変化パターンは、ｓ３で記憶部２６から読み出した再生信号品位パターンと相似するパターンを、縦軸方向に反転させたパターンである。例えば、図８（Ａ）（Ｂ）（Ｃ）に示すパターンがそれぞれ図４（Ａ）（Ｂ）（Ｃ）に示した再生信号品位の変化パターンに対するレーザパワーの変化パターンとして算出される。
【００５９】
システム制御部１６は、ｓ９で算出したレーザパワーの変化パターンに基づいて、レーザパワーを制御しながら、データ記憶回路２５に記憶されている記録データを光ディスクＤに記録する（ｓ１０、ｓ１１）。ｓ１０では、データ記憶回路２５に記憶されている記録データが、エンコーダ１７、ストラテジ回路１８、レーザドライバ１９を介して光ピックアップ１０からレーザ光として照射され、光ディスクＤに記録される。このとき、システム制御部１６は、ｓ９で算出したレーザパワーの変化パターンに基づいてレーザパワーの目標値をレーザパワー制御回路２０に入力する。これにより、光ディスクＤに記録されたデータの再生信号品位パターンが、ｓ３で記憶部２６から読み出した再生信号品位パターンになる。
【００６０】
システム制御部１６は、光ディスクＤに対するデータの記録が終了すると、表示部２８にその旨を表示し（ｓ１２）、本処理を終了する。
【００６１】
上述の処理により、光ディスクＤに記録されたデータの再生信号品位は、予め定められたパターン（ｓ３で記憶部２６から読み出した再生信号品位パターン）で変化する。
【００６２】
従来の光ディスク記録装置は、再生信号品位が略一定になるように、光ディスクＤにデータを記録する。このため、予め定められたパターンで再生信号品位が変化するようにデータを記録した光ディスクＤ（マスタディスク）から記録されているデータを読み取り、該読み取ったデータを記録（コピー）した別の光ディスク（コピーディスク）を作っても、該コピーディスクに記録されているデータの読取条件は略一定である。したがって、従来の光ディスク記録装置では、マスタディスクのように記録されているデータの再生信号品位が予め定められたパターンで変化するコピーディスクを作ることができない。光ディスクＤは、記録されているデータの再生信号品位が予め定められたパターンで変化するかどうかにより真偽（データが不正にコピーされた光ディスクであるかどうか）を判別することができる。
【００６３】
なお、上記実施形態では光ディスクＤへのデータの記録時に図６（Ｂ）に示したａの領域でレーザパワーを変化させるとしたが、上記のようにｂの領域で変化させてもよい。この場合、上記ｓ９で算出されるレーザパワーの変化パターンは、ｓ３で記憶部２６から読み出した再生信号品位パターンと相似するパターンである（縦軸方向に反転させていないパターンである。）。
【００６４】
また、上記図３では、光ディスクＤの種類毎に実験などで得た複数の記録パラメータの関係を記憶部２６に記憶しているとしたが、この関係を記憶部２６に記憶しておかずに、テスト記録で取得するように構成してもよい。図９は、複数の記録パラメータの関係をテスト記録で取得する光ディスク記録装置におけるデータの記録処理を示すフローチャートである。
【００６５】
なお、図９では、図３に示した処理と同じ処理に、同じステップ番号（ｓ＊＊）を付している。
【００６６】
システム制御部１６は、本体に光ディスクＤ（データを記録する光ディスクＤ）がセットされていると、セットされている光ディスクＤの種類を判別するために、サーボの自動調整を行う（ｓ１、ｓ２）。次に、システム制御部１６は、ｓ２１でテスト記録を行う。ｓ２１で行うテスト記録は、上記ｓ６で説明したテスト記録と少し異なる動作である。具体的には、記録時のアシンメトリ、ライトストラテジ、ＨＦ変調度、振幅等、複数の記録パラメータと、再生信号品位と、の関係を取得するために、これらの記録パラメータも変化させてテスト記録を行う。
【００６７】
なお、複数の記録パラメータを同時に変化させるのではなく、１つの記録パラメータを変化させたテスト記録を行い、必要であれば別のパラメータを変化させたテスト記録を行う。また、レーザパワーについては、上記ｓ６と同様に段階的に変化させたテスト記録を行う。
【００６８】
システム制御部１６は、ｓ２１にかかるテスト記録を完了すると、テスト記録を行った領域を再生し、再生信号品位と、複数の記録パラメータとの関係を取得する（ｓ２２）。システム制御部１６は、ｓ２２でレーザパワーとβとの関係も取得する。その後、ｓ３で記憶部２６に記憶している再生信号品位パターンを読み出し、ｓ２２で算出した関係に基づいて装置記録パラメータを設定する（ｓ２３）。ｓ２３では、再生信号品位が最良となるレーザパワーの算出も行っている。システム制御部１６は、ｓ３で記憶部２６から読み出した再生信号品位パターンに対する、レーザパワーの変化パターンを算出し（ｓ９）、ｓ１０〜ｓ１２の処理を実行する。
【００６９】
このようにして、光ディスクＤにデータを記録しても、該光ディスクＤに記録されたデータの再生信号品位を予め定められたパターン（ｓ３で記憶部２６から読み出した再生信号品位パターン）で変化させることができる。
【００７０】
さらに、ｓ３で記憶部２６から読み出した再生信号品位パターンを光ディスクＤに記録してもよい。この場合、図１０に示すようにｓ９とｓ１０との間に、ｓ２５を設け、ｓ３で記憶部２６から読み出した再生信号品位パターンを光ディスクＤの所定の記録領域に記録すればよい。
【００７１】
このように、光ディスクＤに該光ディスクＤに記録されているデータの再生信号品位パターンを記録すれば、光ディスクＤ毎に記録されているデータの再生信号品位パターンを設定することができる。上記実施形態の説明では、記憶部２６に記憶されている再生信号品位パターンは、ユーザが設定変更できない特定のパターンであるとしたが、ｓ２５を設けることにより操作部２７においてユーザが自由に設定できるようになる。
【００７２】
次に、上記光ディスクＤを再生する光ディスク再生装置について説明する。図１１は、この実施形態の光ディスク再生装置の構成を示すブロック図である。この実施形態の光ディスク再生装置２は、ゲーム機等の特定の装置である。
【００７３】
なお、図１０では図１と同じ構成については同じ符号を付している。
【００７４】
この実施形態の光ディスク再生装置２は、上記図１に示した光ディスク記録装置１から、エンコーダ１７、およびストラテジ回路１８を除いた構成である。
【００７５】
以下、この実施形態の光ディスク再生装置２の動作について説明する。
【００７６】
まず、最初に図３、または図９の処理によりデータが記録された光ディスクＤを再生する実施形態について説明する。図１２は、この実施形態の光ディスク再生装置の動作を示すフローチャートである。
【００７７】
光ディスク再生装置２は、本体に光ディスクＤがセットされると（ｓ５１）、システム制御部１６がセットされた記録用光ディスクの種類を判別するために、サーボの自動調整を行う（ｓ５２）。ｓ５１、およびｓ５２の処理は、上記光ディスク記録装置１で説明したｓ１、およびｓ２と同じ処理である。光ディスク再生装置２は、本体にセットされた光ディスクＤに記録されているデータを読み取り、該読み取ったデータについて再生信号品位パターンを測定する（ｓ５３）。
【００７８】
また、光ディスク再生装置２は、予め設定されている再生信号品位パターンを記憶部２６から読み出す（ｓ５４）。記憶部２６には、光ディスク再生装置２で使用される光ディスクＤについて、該光ディスクＤに記録されているデータの再生信号品位パターンが記憶されている。光ディスク再生装置２は、ｓ５３で測定した再生信号品位パターンと、ｓ５４で記憶部２６から読み出した再生信号品位パターンと、を比較し、本体にセットされている光ディスクＤがマスタディスクであるか、コピーディスクであるかを判別する（ｓ５５）。
【００７９】
本体にセットされている光ディスクＤがコピーディスクである場合、記録されているデータの再生信号品位パターンは略一定である。ｓ５３で測定した再生信号品位パターンが、記憶部２６に記憶している再生信号品位パターンで変化しているかどうかにより、マスタディスクであるか、コピーディスクであるかを正確に判別することができる。
【００８０】
光ディスク再生装置２は、ｓ５５でマスタディスクであると判別すると、該光ディスクＤに記録されているデータの再生を開始する（ｓ５６）。ｓ５６では、光ピックアップ１０読み取られたデータが、ＲＦアンプ１２、デコーダ１５を介してデータ記憶回路２５に入力される。再生されたデータ（再生データ）は、データ記憶回路２５に一時的に記憶され、該データ記憶回路２５から順次出力される。光ディスク再生装置２は、該光ディスクＤに記録されているデータの再生が終了すると（ｓ５７）、再生動作を停止する（ｓ５８）。反対に、ｓ５５でコピーディスクであると判別すると、該光ディスクに記録されているデータの再生を開始することなく、本体から光ディスク（コピーディスク）を放出し（ｓ５９）、本処理を終了する。
【００８１】
なお、ｓ５９では本体にセットされている光ディスクがコピーディスクである旨を表示部２８に表示し、ユーザに警告してもよい。
【００８２】
このように、この実施形態の光ディスク再生装置２では、本体にセットされている光ディスクＤが、マスタディスクであるか、コピーディスクであるかを判別し、コピーディスクであると判別したときに記録されているデータの再生を制限することができる。これにより、光ディスクＤ（マスタディスク）に記録されているデータのセキュリティを向上させることができる。
【００８３】
なお、上記のように、記録されているデータの再生信号品位を予め定められているパターンで変化させたコピーディスクを作ることは殆ど不可能である。したがって、光ディスク再生装置２で使用可能なコピーディスクが作られるという可能性も極めて低い。
【００８４】
次に、図１０の処理によりデータが記録された光ディスクＤを再生する実施形態について説明する。図１３は、この実施形態の光ディスク再生装置の動作を示すフローチャートである。
【００８５】
なお、図１３では図１２で説明した処理と同じ処理については、同じステップ番号（ｓ＊＊）を付している。
【００８６】
この実施形態の光ディスク再生装置２は、光ディスク再生装置２は、本体に光ディスクＤがセットされると（ｓ５１）、システム制御部１６がセットされた記録用光ディスクの種類を判別するために、サーボの自動調整を行い（ｓ５２）、光ディスクＤの所定の領域に記録されている再生信号品位パターンを読み出す（ｓ６１）。また、光ディスク再生装置２は、本体にセットされた光ディスクＤに記録されているデータを読み取り、該読み取ったデータについて再生信号品位のパターンを測定する（ｓ５３）。
【００８７】
光ディスク再生装置２は、ｓ６１で光ディスクＤの所定の領域から読み出した再生信号品位のパターンと、ｓ５３で測定した再生信号品位パターンと、を比較し、本体にセットされている光ディスクＤがマスタディスクであるか、コピーディスクであるかを判別する（ｓ５５）。
【００８８】
本体にセットされている光ディスクＤがコピーディスクである場合、記録されているデータの再生信号品位は略一定である。したがって、ｓ５３で測定した再生信号品位のパターンが、光ディスクＤの所定の領域から読み取った再生信号品位パターンで変化しているかどうかにより、マスタディスクであるか、コピーディスクであるかを判別し、ｓ５６〜ｓ５９の処理を実行する。
【００８９】
このように、この実施形態の光ディスク再生装置２は、本体にセットされた光ディスクＤの所定領域に記録されている再生信号品位パターンと、該光ディスクＤに記録されているデータの再生信号品位パターンと、を比較し、本体にセットされている光ディスクＤがマスタディスクであるか、コピーディスクであるかを判別する。これにより、再生信号品位パターンを光ディスクＤ毎に設定することができる。
【００９０】
また、上記実施形態の光ディスク記録装置１では、図６（Ｂ）に示したａ、またはｂの一方の領域でレーザパワーを変化させて、光ディスクＤにデータを記録するとしたが、ａ、およびｂの両方の領域を用いて光ディスクＤにデータを記録してもよい。一般に、記録されているデータのβが大きい場所ほど、色が濃くなる。このことから、図６（Ｂ）に示したａ、およびｂの両方の領域でレーザパワーを制御して光ディスクＤにデータを記録すると、記録されているデータの再生信号品位を換えながら、図１４に示すように光ディスクＤのデータの記録面に画像を描くことができ、マスタディスクであるか、コピーディスクであるかの判断が視覚的に行える。
【００９１】
なお、図６（Ｂ）に示したａ、またはｂの一方の領域でレーザパワーを制御して光ディスクＤにデータを記録しても、光ディスクＤのデータの記録面に画像を描くことはできるが、この場合にはコントラストが低い画像になる。
【００９２】
また、上記実施形態では、再生信号品位を予め定められたパターンで変化させるとしたが、再生線速度（規格では１．２〜１．４ｍ／ｓ）を変化させるようにしてもよい。再生線速度は、光ディスクＤのトラックにおけるデータの記録密度に応じて変化する読取条件である。
【００９３】
光ディスクＤに記録されているデータの再生線速度を予め設定されているパターンで変化させる場合、図１５に示すように、図３に示したｓ９、ｓ１０の処理に換えて、ｓ３１で光ディスクＤに記録されたデータの再生線速度が、ｓ３０で記憶部２６から読み出した再生線速度のパターンになる、記録時における光ディスクＤの回転速度の変化パターンを算出し、ここで算出した光ディスクＤの回転速度の変化パターンに基づいて、ｓ３２で該光ディスクＤの回転速度を制御しながら、データの記録を行えばよい。但し、データの記録速度については一定である。
【００９４】
記録時における光ディスクＤの回転速度を速めると、データの記録密度は小さくなる。このため、再生線速度は遅くなる。
【００９５】
なお、この場合光ディスクＤの回転速度をステップ状に変化させることは困難であることから、時間的に連続した変化パターンとするのが好ましい。
【００９６】
また、図１５に示したｓ３１、ｓ３２の処理に換えて、ｓ３５で光ディスクＤに記録されたデータの再生線速度が、ｓ３０で記憶部２６から読み出した再生線速度のパターンになる、記録時における光ディスクＤに対するデータの記録速度の変化パターンを算出し、ここで算出したる光ディスクＤに対するデータの記録速度の変化パターンに基づいて、ｓ３６で光ディスクＤに対するデータの記録速度を制御しながら、データの記録を行ってもよい（図１６参照）。データの記録速度は、エンコーダ１７の処理速度、および光ピックアップ１０のレーザダイオードからのレーザ光の照射間隔により制御できる。
【００９７】
どちらの場合も、光ディスクＤに記録されたデータの再生線速度を予め定められたパターンで変化させることができる。
【００９８】
また、光ディスク再生装置２は、光ディスクＤに記録されているデータの再生線速度の変化（データ密度の変化）から、マスタディスクであるか、コピーディスクであるかを判断するように構成すればよい。
【００９９】
なお、上記実施形態の説明には、以下に示す（１）〜（４）の発明も含まれている。
【０１００】
（１）上記記録パラメータを時間的に連続して変化させる請求項１〜５のいずれかに記載の光ディスク記録方法。
【０１０１】
（２）上記トラックを分割した記録領域毎に上記記録パラメータを変化させる請求項１〜５のいずれかに記載の光ディスク記録方法。
【０１０２】
（３）上記トラックを分割した記録領域の少なくとも１つにおいては、上記記録パラメータを時間的に連続して変化させる上記（２）に記載の光ディスク記録方法。
【０１０３】
（４）上記読取条件の変化のパターンを上記光ディスクの所定の領域に記録する請求項１〜５、および上記（１）〜（３）のいずれかに記載の光ディスク記録方法。
【０１０４】
【発明の効果】
以上のように、この発明によれば、データの読取条件が所定のパターンで変化するように、光ディスクにデータを記録したので、従来普及している光ディスク記録装置でコピーディスクを作ることが殆ど不可能となり、光ディスクに記録されているデータのセキュリティを向上させることができる。
【０１０５】
また、本体にセットされた光ディスクに記録されているデータの読取条件が予め設定されているパターンで変化するかどうかにより、該光ディスクの真偽を判別することができ、コピーディスクの不正使用が防止できる。これにより、光ディスクに記録されているデータのセキュリティを一層向上させることができる。
【図面の簡単な説明】
【図１】この発明の実施形態である光ディスク記録装置の構成を示す図である。
【図２】光ディスクの記録領域を示す図である。
【図３】この発明の実施形態である光ディスク記録装置の動作を示すフローチャートである。
【図４】光ディスクに記録されるデータの再生信号品位の変化パターンを説明する図である。
【図５】光ディスクに記録されるデータの再生信号品位の変化パターンを説明する図である。
【図６】再生信号品位、β、記録時のレーザパワーの関係を示す図である。
【図７】この発明の実施形態である光ディスク記録装置におけるテスト記録を説明する図である。
【図８】データの記録時におけるレーザパワーの変化パターンを示す図である。
【図９】この発明の別の実施形態である光ディスク記録装置の動作を示すフローチャートである。
【図１０】この発明の別の実施形態である光ディスク記録装置の動作を示すフローチャートである。
【図１１】この発明の実施形態である光ディスク再生装置の構成を示す図である。
【図１２】この発明の実施形態である光ディスク再生装置の動作を示すフローチャートである。
【図１３】この発明の実施形態である別の光ディスク再生装置の動作を示すフローチャートである。
【図１４】光ディスク装置を示す図である。
【図１５】この発明の別の実施形態である光ディスク記録装置の動作を示すフローチャートである。
【図１６】この発明の別の実施形態である光ディスク記録装置の動作を示すフローチャートである。
【符号の説明】
１−光ディスク記録装置
２−光ディスク再生装置
１６−システム制御部
【図１】
2004022132.tif 000003
【図２】
2004022132.tif 000004
【図３】
2004022132.tif 000005
【図４】
2004022132.tif 000006
【図５】
2004022132.tif 000007
【図６】
2004022132.tif 000008
【図７】
2004022132.tif 000009
【図８】
2004022132.tif 000010
【図９】
2004022132.tif 000011
【図１０】
2004022132.tif 000012
【図１１】
2004022132.tif 000013
【図１２】
2004022132.tif 000014
【図１３】
2004022132.tif 000015
【図１４】
2004022132.tif 000016
【図１５】
2004022132.tif 000017
【図１６】
2004022132.tif 000018